(57)【要約】      （修正有）【課題】箱体外への内フラップの抜け出しを容易に抑制できる箱用シートを提供する。【解決手段】矩形状の底面パネル１と、底面パネルの対向する一対の側縁１ａ、１ｂから延出する一対の第１側面パネル２ａ、２ｂと、一対の第１側面パネルの先端縁から延出する一対の内フラップ３ａ、３ｂと、底面パネルの対向する他対の側縁から延出する一対の第２側面パネル４ａ、４ｂと、一方の第２側面パネルの先端縁から延出する第１外フラップ５ａと、他方の第２側面パネルの先端縁から延出する第２外フラップ５ｂとを備え、たとう式の箱体に組み立て可能な箱用シート１０であって、一対の第１側面パネルが、矩形状であり、一対の第２側面パネルが、底面パネルと接続される側から先端側に向けて拡幅する台形状であり、一対の第１側面パネルの側縁と一対の第２側面パネルの側縁とを接続する４つの爪部６をさらに備えており、組立状態で、爪部が、第１側面パネルの外側に突出して第２側面パネルと重なり合うように折り曲げられる。【選択図】図１
0003230867.tif 000002
【実用新案登録請求の範囲】
【請求項１】
矩形状の底面パネルと、
上記底面パネルの対向する一対の側縁から延出する一対の第１側面パネルと、
上記一対の第１側面パネルの先端縁から延出する一対の内フラップと、
上記底面パネルの対向する他対の側縁から延出する一対の第２側面パネルと、
一方の上記第２側面パネルの先端縁から延出する第１外フラップと、
他方の上記第２側面パネルの先端縁から延出する第２外フラップと
を備え、
たとう式の箱体に組み立て可能な箱用シートであって、
上記一対の第１側面パネルが、矩形状であり、
上記一対の第２側面パネルが、上記底面パネルと接続される側から先端側に向けて拡幅する台形状であり、
上記一対の第１側面パネルの側縁と上記一対の第２側面パネルの側縁とを接続する４つの爪部をさらに備えており、
組立状態で、上記爪部が、上記第１側面パネルの外側に突出して上記第２側面パネルと重なり合うように折り曲げられる箱用シート。
【請求項２】
組立状態における平面視で、上記第１外フラップ及び上記第２外フラップが、全体として上記底面パネルよりも幅広な矩形状である請求項１に記載の箱用シート。
【請求項３】
上記第２側面パネルに折り曲げ容易線が設けられていない請求項１又は請求項２に記載の箱用シート。
【請求項４】
上記第１外フラップに、スリットによって画定される一対の第１舌片が設けられており、
上記一対の内フラップに、上記第１舌片が挿入される第１係止孔が設けられている請求項１、請求項２又は請求項３に記載の箱用シート。
【請求項５】
上記第２外フラップに、スリットによって画定される第２舌片が設けられており、
上記第１外フラップに、上記第２舌片が挿入される第２係止孔が設けられている請求項１から請求項４のいずれか１項に記載の箱用シート。
【考案の詳細な説明】
【技術分野】
【０００１】
本考案は、箱用シートに関する。
【背景技術】
【０００２】
段ボールシート等から組み立てられる箱体が、物品の運搬等に広く用いられている。このような箱体として、たとう式（やっこ型）の箱体が使用されている。この箱体は、矩形状の底面板と、底面板の対向する一対の側縁から延出する一対の第１側面板と、底面板の対向する他対の側縁から延出する一対の第２側面板と、一対の第１側面板の先端縁から延出する一対の内フラップと、一対の第２側面板の先端縁から延出する一対の外フラップとを備える箱用シートを組み立てて構成される（特開２０１８−７０１８７号公報参照）。
【先行技術文献】
【特許文献】
【０００３】
【特許文献１】特開２０１８−７０１８７号公報
【考案の概要】
【考案が解決しようとする課題】
【０００４】
たとう式の箱体は、一対の第１側面板を底面板に対して垂直に立ち上げ、一対の内フラップをそれぞれ第１側面板に対して内側に垂直に折り曲げると共に、一対の第２側面板を底面板に対して垂直に立ち上げ、一対の外フラップを一対の内フラップの上面に折り重ねることで組み立てられる。この箱体は、隣接する第１側面板と第２側面板とが直接接続されていないため、これらの側面板が意図せず展開しやすい。その結果、例えば内フラップが箱体外に抜け出しやすい。
【０００５】
そのため、上記公報に記載されている箱体には、内フラップの先端縁から延出し、組立状態で互いに係合する内側フックが設けられている。
【０００６】
しかしながら、上記公報に記載されている構成によると、組立作業が煩雑になる。
【０００７】
本考案は、このような不都合に鑑みてなされたものであり、箱体外への内フラップの抜け出しを容易に抑制することができる箱用シートを提供することを目的とする。
【課題を解決するための手段】
【０００８】
上記課題を解決するためになされた本考案の一態様に係る箱用シートは、矩形状の底面パネルと、上記底面パネルの対向する一対の側縁から延出する一対の第１側面パネルと、上記一対の第１側面パネルの先端縁から延出する一対の内フラップと、上記底面パネルの対向する他対の側縁から延出する一対の第２側面パネルと、一方の上記第２側面パネルの先端縁から延出する第１外フラップと、他方の上記第２側面パネルの先端縁から延出する第２外フラップとを備え、たとう式の箱体に組み立て可能な箱用シートであって、上記一対の第１側面パネルが、矩形状であり、上記一対の第２側面パネルが、上記底面パネルと接続される側から先端側に向けて拡幅する台形状であり、上記一対の第１側面パネルの側縁と上記一対の第２側面パネルの側縁とを接続する４つの爪部をさらに備えており、組立状態で、上記爪部が、上記第１側面パネルの外側に突出して上記第２側面パネルと重なり合うように折り曲げられる。
【考案の効果】
【０００９】
本考案の一態様に係る箱用シートによると、箱体外への内フラップの抜け出しを容易に抑制することができる。
【図面の簡単な説明】
【００１０】
【図１】図１は、本考案の一実施形態に係る箱用シートを示す模式的平面図である。
【図２】図２は、図１の箱用シートを組み立ててなる箱体の模式的平面図である。
【図３】図３は、図２の箱体の模式的背面図である。
【図４】図４は、図２の箱体のＩＶ−ＩＶ線部分断面図である。
【図５】図５は、図２の箱体の組立手順を示す模式的平面図である。
【図６】図６は、図１の箱用シートとは異なる実施形態に係る箱用シートを示す模式的平面図である。
【図７】図７は、図１及び図６の箱用シートとは異なる実施形態に係る箱用シートを示す模式的平面図である。
【考案を実施するための形態】
【００１１】
［本考案の実施形態の説明］
最初に本考案の実施態様を列記して説明する。
【００１２】
本考案の一態様に係る箱用シートは、矩形状の底面パネルと、上記底面パネルの対向する一対の側縁から延出する一対の第１側面パネルと、上記一対の第１側面パネルの先端縁から延出する一対の内フラップと、上記底面パネルの対向する他対の側縁から延出する一対の第２側面パネルと、一方の上記第２側面パネルの先端縁から延出する第１外フラップと、他方の上記第２側面パネルの先端縁から延出する第２外フラップとを備え、たとう式の箱体に組み立て可能な箱用シートであって、上記一対の第１側面パネルが、矩形状であり、上記一対の第２側面パネルが、上記底面パネルと接続される側から先端側に向けて拡幅する台形状であり、上記一対の第１側面パネルの側縁と上記一対の第２側面パネルの側縁とを接続する４つの爪部をさらに備えており、組立状態で、上記爪部が、上記第１側面パネルの外側に突出して上記第２側面パネルと重なり合うように折り曲げられる。
【００１３】
当該箱用シートは、上記一対の第１側面パネルが矩形状であり、上記一対の第２側面パネルが上記底面パネルと接続される側から先端側に向けて拡幅する台形状であり、組立状態で、上記爪部が上記第１側面パネルの外側に突出して上記第２側面パネルと重なり合うように折り曲げられるので、上記爪部が上記一対の第１側面パネルの意図しない展開を抑制するストッパーとして機能する。これにより、上記一対の第１側面パネルが上記底面パネルに対して垂直に保持されやすくなり、上記一対の内フラップの箱体外への抜け出しを抑制することができる。当該箱用シートは、上記底面パネルに対して上記一対の第１側面パネル及び上記一対の第２側面パネルをこの順で立ち上げることで上記爪部をストッパーとして機能させることができるので、上記一対の内フラップの抜け出しを容易に抑制することができる。
【００１４】
組立状態における平面視で、上記第１外フラップ及び上記第２外フラップが、全体として上記底面パネルよりも幅広な矩形状であるとよい。このように、組立状態における平面視で、上記第１外フラップ及び上記第２外フラップが、全体として上記底面パネルよりも幅広な矩形状であることによって、上記一対の内フラップの箱体外への抜け出しをより確実に抑制することができる。
【００１５】
上記第２側面パネルに折り曲げ容易線が設けられていないとよい。このように、上記第２側面パネルに折り曲げ容易線が設けられていないことによって、上記爪部によって上記一対の第１側面パネルの意図しない展開をより確実に抑制することができる。
【００１６】
上記第１外フラップに、スリットによって画定される一対の第１舌片が設けられており、上記一対の内フラップに、上記第１舌片が挿入される第１係止孔が設けられているとよい。このように、上記第１外フラップに、スリットによって画定される一対の第１舌片が設けられており、上記一対の内フラップに、上記第１舌片が挿入される第１係止孔が設けられていることによって、上記一対の内フラップの箱体外への抜け出しをより確実に抑制することができる。
【００１７】
上記第２外フラップに、スリットによって画定される第２舌片が設けられており、上記第１外フラップに、上記第２舌片が挿入される第２係止孔が設けられているとよい。このように、上記第２外フラップに、スリットによって画定される第２舌片が設けられており、上記第１外フラップに、上記第２舌片が挿入される第２係止孔が設けられていることによって、上記第１外フラップと上記第２外フラップとを係合することで、上記一対の内フラップを箱体内に容易かつ確実に保持することができる。
【００１８】
なお、本考案において、「矩形状」とは、完全な矩形に限定されず、例えば側縁に部分的な切り欠きが形成されている構成や、角部が面取りされている構成を含む。
【００１９】
［本考案の実施形態の詳細］
以下、適宜図面を参照しつつ、本考案の実施の形態を詳説する。
【００２０】
［箱用シート］
図１の箱用シート１０は、矩形状の底面パネル１と、底面パネル１の対向する一対の側縁（第１側縁１ａ）から延出する一対の第１側面パネル２ａ、２ｂと、一対の第１側面パネル２ａ、２ｂの先端縁から延出する一対の内フラップ３ａ、３ｂと、底面パネル１の対向する他対の側縁（第２側縁１ｂ）から延出する一対の第２側面パネル４ａ、４ｂと、一方の第２側面パネル４ａの先端縁から延出する第１外フラップ５ａと、他方の第２側面パネル４ｂの先端縁から延出する第２外フラップ５ｂとを備える。一対の第１側面パネル２ａ、２ｂは、矩形状である。一対の第２側面パネル４ａ、４ｂは、底面パネル１と接続される側（基端側）から先端側に向けて拡幅する台形状である。当該箱用シート１０は、一対の第１側面パネル２ａ、２ｂの側縁と一対の第２側面パネル４ａ、４ｂの側縁とを接続する４つの爪部６を備える。なお、図１において、太い実線はシートを切断して形成される切断線を示し、細い実線はシートの内面を筋押しして形成される罫線を示す。また、本明細書において、「内」とは箱体に組み立てられた状態での内を意味し、「外」とは箱体に組み立てられた状態での外を意味する。
【００２１】
当該箱用シート１０は、たとう式の箱体に組み立て可能であり、具体的には図２から図４の箱体２０に組み立てられる。たとう式とは、底面パネルに対して、側面パネル及びフラップを立ち上げて物品を包み込むように組み立てられる箱体をいう。つまり、当該箱用シート１０は、底面パネル１に物品を配置したうえで、一対の第１側面パネル２ａ、２ｂを上方に略垂直に立ち上げ、一対の内フラップ３ａ、３ｂを底面パネル１と平行に内側に折り曲げ、さらに一対の第２側面パネル４ａ、４ｂを上方に略垂直に立ち上げ、第１外フラップ５ａ及び第２外フラップ５ｂを一対の内フラップ３ａ、３ｂに折り重ねることで箱体２０に組み立てられる。当該箱用シート１０は、第１外フラップ５ａ及び第２外フラップ５ｂの外面に跨って送り状等を貼着することで箱体２０の蓋部を封止するよう構成されていてもよい。図３及び図４に示すように、爪部６は、組立状態で、第１側面パネル２ａ、２ｂの外側に突出して第２側面パネル４ａ、４ｂと重なり合うように折り曲げられる。
【００２２】
当該箱用シート１０は、１枚のシート材から形成される。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。当該箱用シート１０が段ボールシートから形成される場合、段ボールシートの中芯の稜線方向は、第１側縁１ａと平行であることが好ましい。この構成によると、組立状態における爪部６の折れ曲がりを抑制し、第１側面パネル２ａ、２ｂを立ち上げられた状態で保持しやすい。
（底面パネル）
底面パネル１は、上述のように矩形状である。より詳しくは、底面パネル１は、第１側縁１ａに対して第２側縁１ｂの長さが大きい長方形状である。
【００２３】
（第１側面パネル）
一対の第１側面パネル２ａ、２ｂ同士は略同一形状である。一対の第１側面パネル２ａ、２ｂは、第１側縁１ａの全領域から延出している。つまり、第１側面パネル２ａ、２ｂの幅は、第１側縁１ａの長さと等しい。第１側面パネル２ａ、２ｂは、延出方向長さに対して幅が大きい長方形状である。第１側面パネル２ａ、２ｂの延出方向長さの上限としては、４ｃｍが好ましく、３ｃｍがより好ましい。上記延出方向長さが上記上限を超えると、爪部６が大きくなることで箱体２０全体が大きくなり過ぎるおそれがある。第１側面パネル２ａ、２ｂの延出方向長さの下限としては、箱体２０に収容する物品のサイズに応じて設定可能であり、例えば１ｃｍとすることができる。
【００２４】
（第２側面パネル）
一対の第２側面パネル４ａ、４ｂ同士は略同一形状である。一対の第２側面パネル４ａ、４ｂは、第２側縁１ｂの全領域から延出している。つまり、第２側面パネル４ａ、４ｂの基端縁の幅は、第２側縁１ｂの長さと等しい。第２側面パネル４ａ、４ｂの延出方向長さは、第１側面パネル２ａ、２ｂの延出方向長さと略等しい。
【００２５】
上述のように、第２側面パネル４ａ、４ｂは、基端縁の幅に対して先端縁の幅が大きい台形状である。第２側縁１ｂに対する第２側面パネル４ａ、４ｂの側縁の傾斜角度としては、例えば４０°以上５０°以下程度とすることができる。
【００２６】
第２側面パネル４ａ、４ｂには、折り曲げ容易線は設けられていないことが好ましい。すなわち、箱体２０に組み立てられた状態で、第２側面パネル４ａ、４ｂは、下方（底面パネル１側）から上方（第１外フラップ５ａ及び第２外フラップ５ｂ側）に向けて拡幅する台形状に保持されることが好ましい。この構成によると、爪部６によって一対の第１側面パネル２ａ、２ｂの意図しない展開をより確実に抑制することができる。
【００２７】
（爪部）
爪部６は、第１側面パネル２ａ、２ｂと第２側面パネル４ａ、４ｂとの隣接する側縁同士に接続されている。爪部６は、略三角形状である。より詳しくは、爪部６は、第１側面パネル２ａ、２ｂの側縁を第１隣辺６ａとし、第２側面パネル４ａ、４ｂの側縁を斜辺６ｂとし、第１側面パネル２ａ、２ｂの先端縁の延長線を第２隣辺６ｃとする略直角三角形状である。
【００２８】
図４に示すように、箱体２０に組み立てられた状態で、爪部６は、第２隣辺６ｃが左右方向外側に突出し、第１隣辺６ａが上下方向に延びた状態で保持される。爪部６は、第１側面パネル２ａ、２ｂが外側に展開しようとするのを抑制するストッパーとして機能する。また同時に、爪部６は、第１側面パネル２ａ、２ｂが内側に折り込まれるのを抑制するストッパーとしても機能する。すなわち、第１側面パネル２ａ、２ｂは、爪部６によって底面パネル１に対して垂直方向に維持される。
【００２９】
（内フラップ）
一対の内フラップ３ａ、３ｂ同士は略同一形状である。一対の内フラップ３ａ、３ｂは、第１側面パネル２ａ、２ｂの先端縁の全領域から延出している。内フラップ３ａ、３ｂは、例えば延出方向長さに対して幅が大きい矩形状である。一対の内フラップ３ａ、３ｂ同士は、箱体２０に組み立てられた状態で、互いに離間して配置される。
【００３０】
一対の内フラップ３ａ、３ｂは、第２外フラップ５ｂ側に第１係止孔１１を有する。第１係止孔１１には、後述の第１舌片１３ａが挿入される。第１係止孔１１は、例えば内フラップ３ａ、３ｂの延出方向を長手方向とする細長状である。
【００３１】
（外フラップ）
第１外フラップ５ａは、第２側面パネル４ａの先端縁から延出する矩形状の第１基部１２と、第１基部１２の先端縁から延出する第１係合部１３とを有する。第１基部１２の幅は、第２側面パネル４ａの先端縁の幅と等しい。第１外フラップ５ａは、幅方向の両側に、スリットによって画定される第１舌片１３ａを有する。第１舌片１３ａは、第１係合部１３の基端縁に設けられている。具体的には、第１外フラップ５ａは、第１基部１２の先端縁（第１係合部１３との境界）に、基端側に凸な一対のスリットと、これらのスリットの端部に接続されて幅方向に延びる第１折り曲げ容易線１２ａとを有する。第１舌片１３ａは、第１基部１２の先端縁に設けられる上記スリットによって画定されている。
【００３２】
当該箱用シート１０は、第１外フラップ５ａの幅方向の両側に第１舌片１３ａが設けられており、一対の内フラップ３ａ、３ｂに第１舌片１３ａが挿入される第１係止孔１１が設けられていることによって、一対の内フラップ３ａ、３ｂの箱体２０外への抜け出しをより確実に抑制することができる。つまり、一対の内フラップ３ａ、３ｂが第１外フラップ５ａに被覆された状態で第１外フラップ５ａに固定されることで、一対の内フラップ３ａ、３ｂを箱体２０内に確実に保持することができる。
【００３３】
当該箱用シート１０は、第１舌片１３ａが第１係合部１３の基端縁に設けられているので、図５に示すように、第１係合部１３を第１基部１２に対して折り曲げることで第１舌片１３ａを第１係止孔１１に容易に挿入することがきる。また、第１係合部１３の折り曲げを弱めたうえで、第１外フラップ５ａの外面側に第２外フラップ５ｂを折り重ねることで、第１舌片１３ａの第１係止孔１１への挿入状態を容易に維持することができる。
【００３４】
第１外フラップ５ａは、後述する第２舌片１５ａが挿入される第２係止孔１３ｂを有する。第２係止孔１３ｂは、第１係合部１３に設けられている。より詳しくは、第２係止孔１３ｂは、第１基部１２の先端縁を基端として第１係合部１３の基端部分に設けられている。第２係止孔１３ｂは、一対の第１舌片１３ａ同士の間に設けられている。
【００３５】
第２外フラップ５ｂは、第２側面パネル４ｂの先端縁から延出する矩形状の第２基部１４と、第２基部１４の先端縁から延出する第２係合部１５とを有する。第２基部１４の幅は、第２側面パネル４ｂの先端縁の幅と等しい。第２外フラップ５ｂは、スリットによって画定される第２舌片１５ａを有する。第２舌片１５ａは、第２係合部１５の基端縁に設けられている。具体的には、第２外フラップ５ｂは、第２基部１４の先端縁（第２係合部１５との境界）に、基端側に凸なスリットと、このスリットの端部に接続されて幅方向に延びる第２折り曲げ容易線１４ａとを有する。第２舌片１５ａは、第２基部１４の先端縁に設けられた上記スリットによって画定されている。
【００３６】
当該箱用シート１０は、第２外フラップ５ｂに第２舌片１５ａが設けられており、第１外フラップ５ａに第２舌片１５ａが挿入される第２係止孔１３ｂが設けられていることによって、第１外フラップ５ａと第２外フラップ５ｂとを係合することで、一対の内フラップ３ａ、３ｂを箱体２０内に容易かつ確実に保持することができる。すなわち、第１外フラップ５ａ及び第２外フラップ５ｂによって一対の内フラップ３ａ、３ｂの上面を被覆することで、一対の内フラップ３ａ、３ｂを箱体２０内に容易かつ確実に保持することができる。
【００３７】
当該箱用シート１０は、第２舌片１５ａが第２係合部１５の基端縁に設けられているので、第２係合部１５を第２基部１４に対して折り曲げることで第２舌片１５ａを第２係止孔１３ｂに容易に挿入することがきる。また、第２係合部１５を第１基部１２の外面に重ねることで、第２舌片１５ａの第２係止孔１３ｂへの挿入状態を容易に維持することができる。
【００３８】
図３に示すように、当該箱用シート１０は、箱体２０に組み立てられた状態における平面視で、第１外フラップ５ａ及び第２外フラップ５ｂが、全体として底面パネル１よりも幅広な矩形状である。この構成によると、箱体２０において、第１外フラップ５ａ及び第２外フラップ５ｂが一対の内フラップ３ａ、３ｂの基端側を完全に覆うように配置される。そのため、当該箱用シート１０は、一対の内フラップ３ａ、３ｂの箱体２０外への抜け出しをより確実に抑制することができる。
【００３９】
＜利点＞
当該箱用シート１０は、一対の第１側面パネル２ａ、２ｂが矩形状であり、一対の第２側面パネル４ａ、４ｂが底面パネル１と接続される側から先端側に向けて拡幅する台形状であり、組立状態で、爪部６が第１側面パネル２ａ、２ｂの外側に突出して第２側面パネル４ａ、４ｂと重なり合うように折り曲げられるので、爪部６が一対の第１側面パネル２ａ、２ｂの意図しない展開を抑制するストッパーとして機能する。これにより、一対の第１側面パネル２ａ、２ｂが底面パネル１に対して垂直に保持されやすくなり、一対の内フラップ３ａ、３ｂの箱体２０外への抜け出しを抑制することができる。当該箱用シート１０は、底面パネル１に対して一対の第１側面パネル２ａ、２ｂ及び一対の第２側面パネル４ａ、４ｂをこの順で立ち上げることで爪部６をストッパーとして機能させることができるので、一対の内フラップ３ａ、３ｂの抜け出しを容易に抑制することができる。
【００４０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４１】
上記内フラップに設けられる第１係止孔の位置及び個数は特に限定されるものではない。例えば図６に示すように、第１係止孔３１は、内フラップ３３ａ、３３ｂの第１外フラップ３５ａ側に設けられていてもよい。
【００４２】
当該箱用シートは、内フラップに第１係止孔が設けられない構成を採用することも可能である。またこの場合、当該箱用シートは、第１外フラップに、第１係止孔に挿入される第１舌片を設けることを要しない。当該箱用シートは、上記内フラップに上記第１係止孔が設けられていない場合であっても、上記爪部によって上記内フラップの箱体内からの抜け出しを抑制することができる。
【００４３】
上記第２外フラップに設けられる第２舌片の位置及び個数は特に限定されるものではない。例えば図７に示すように、第２外フラップ４５ｂには、幅方向の両側にそれぞれ第２舌片４６ａが設けられていてもよい。
【００４４】
当該箱用シートは、第２外フラップに第２舌片が設けられない構成を採用することも可能である。またこの場合、当該箱用シートは、第１外フラップに、第２舌片が挿入される第２係止孔を設けることを要しない。当該箱用シートは、例えばテープ等の他の部材によって第１外フラップと第２外フラップとが固定されるように構成されてもよく、他の係合手段によって第１外フラップと第２外フラップとが係合されるように構成されてもよい。
【００４５】
上記内フラップ、上記第１外フラップ及び上記第２外フラップの具体的な形状は、上記実施形態に記載された形状に限定されるものではない。例えば当該箱用シートは、組立状態における平面視て、上記第１外フラップ及び上記第２外フラップが、全体として上記底面パネルよりも幅広な矩形状に形成されていなくてもよい。
【産業上の利用可能性】
【００４６】
以上のように、本考案の一態様に係る箱用シートは、箱体外への内フラップの抜け出しを容易に抑制することができるので、物品の運搬用に好適に用いられる。
【符号の説明】
【００４７】
１  底面パネル
１ａ  第１側縁
１ｂ  第２側縁
２ａ、２ｂ  第１側面パネル
３ａ、３ｂ、３３ａ、３３ｂ  内フラップ
４ａ、４ｂ  第２側面パネル
５ａ、３５ａ  第１外フラップ
５ｂ、４５ｂ  第２外フラップ
６  爪部
６ａ  第１隣辺
６ｂ  斜辺
６ｃ  第２隣辺
１０  箱用シート
１１  第１係止孔
１２  第１基部
１２ａ  第１折り曲げ容易線
１３  第１係合部
１３ａ  第１舌片
１３ｂ  第２係止孔
１４  第２基部
１４ａ  第２折り曲げ容易線
１５  第２係合部
１５ａ、４６ａ  第２舌片
２０  箱体
３１  第１係止孔
【図１】
0003230867.tif 000003
【図２】
0003230867.tif 000004
【図３】
0003230867.tif 000005
【図４】
0003230867.tif 000006
【図５】
0003230867.tif 000007
【図６】
0003230867.tif 000008
【図７】
0003230867.tif 000009